(57)【要約】【課題】遊技機について、光の変化の面白さを利用しながら、機械的な面白さを演出することができて、耐久性にも優れた装飾装置を、簡単な構成によって提供すること。【解決手段】遊技機側に固定される支持板と、この支持板に支持される可撓板１２と、この可撓板１２に連結されて揺動自在となる複数の揺動板１３〜１３と、これらの揺動板１３の少なくとも一部を往復動させる駆動装置１４とを備え、支持板を透明または半透明材料によって形成するとともに、この支持板の裏面側に発光体３０を設けたこと。【選択図】図７
2008161435.tif 000002
【特許請求の範囲】
【請求項１】
遊技機に組み込まれて、この遊技機の装飾を発光体とともに行う装飾装置であって、
前記遊技機側に固定される支持板と、この支持板に支持される可撓板と、この可撓板に連結されて揺動自在となる複数の揺動板と、これらの揺動板の少なくとも一部を往復動させる駆動装置とを備え、
前記駆動装置に連結されたもの以外の少なくとも一枚の揺動板または前記支持板に、この支持板または前記駆動装置に連結された以外の揺動板に当接する第１ストッパ軸を一体的に設けて、
さらに、前記支持板を透明または半透明材料によって形成するとともに、この支持板の裏面側に発光体を設けて、
前記駆動装置によって、これに連結された前記揺動板を往復動させたとき、前記第１ストッパ軸によって前記駆動装置に連結されたもの以外の揺動板の動きの範囲を制限させるとともに、これらの各揺動板及び前記可撓板を通して前記発光体からの光が前面側に向けて発光されるようにしたことを特徴とする揺動装飾装置。
【請求項２】
前記発光体を複数の発光ダイオードによって形成するとともに、これら各発光ダイオードの発光方向に、前記揺動板を配置したことを特徴とする請求項１に記載の発光体を備えた揺動装飾装置。
【請求項３】
前記支持板に、複数のレンズを設けたことを特徴する請求項１または請求項２に記載の発光体を備えた揺動装飾装置。
【請求項４】
前記請求項１〜請求項３のいずれかに係る発光体を備えた揺動装飾装置を変動表示部の周囲を囲っているセンターフレームに組み込んだことを特徴とするパチンコ機。
【発明の詳細な説明】
【技術分野】
【０００１】
本発明は、パチンコ機やスロットマシン、ピンボールゲーム機あるいはクレーンゲーム機等の遊技機における装飾装置に関し、特に、揺動及び発光するものとすることによって、遊技をより変化に富んだ楽しいものにする発光体を備えた揺動装飾装置に関するものである。
【背景技術】
【０００２】
遊技機としてパチンコ機を採ってみると、この種のパチンコ機においては、様々な装飾が施されている。この装飾は、遊技者の興趣を高める為に施されているものであり、遊技中の楽しさを増大させ、遊技者が楽しい時間を過ごせるようにしているものである。このことは、パチンコ機に限らず、他の例えばスロットマシン、ピンボールゲーム機あるいはクレーンゲーム機等のその他の遊技機についても同様である。
【０００３】
特に、パチンコ機について考察してみると、パチンコ遊技の面白さは、多数の賞球や点数が得られる状態になることが期待されることは勿論であるが、そのような状態は常に訪れるものではないから、通常状態では、遊技盤面上を落下するパチンコ球の複雑な動きや、風車等の機械的な動きが醸し出す雰囲気にパチンコ遊技の面白さはある。
【０００４】
パチンコ機の機械的な動きによる面白さは、パチンコ遊技やこれを実施するためのパチンコ機の発達の原点であったのであるが、近年では、この種のパチンコ機においても種々な部分で電子化されてきており、むしろ、機械的な動きの面白さは少なくなりつつある。
【０００５】
それでも、パチンコ機における機械的な動きの面白さは常に追求されてきているものであり、例えば、特許文献１にその例が見られる。
【特許文献１】特開２００６−５１４号公報、要約、代表図
【発明の開示】
【発明が解決しようとする課題】
【０００６】
特許文献１には、「始動入賞口への遊技球の入賞確率や、飾り枠の下辺部上面での遊技球の動きに変化を持たせることができるとともに、始動入賞口への入賞に対する期待感を向上させることができる遊技機を提供すること」を目的とした「遊技機」が提案されており、図１３に示すように、「可変表示装置１４の周囲に設けられた飾り枠１３の下辺部１３ａにおける始動入賞口１５の上方位置に可動自在に配置され、遊技球を始動入賞口に向けて誘導する遊技球誘導面２５ａが上面に形成された遊技球誘導部材２５は、飾り枠１３の下辺部１３ａ上面２６ａを移動してきた遊技球が遊技球誘導面２５ａに乗り移る確率が高い第１の位置と、遊技球誘導面２５ａに乗り移る確率が前記第１の位置よりも低い第２の位置と、の間で可動自在に設けられている」といった構成を有しているものである。
【０００７】
しかしながら、この特許文献１に記載された遊技機は、「飾り枠の下辺部上面での遊技球の動きに変化を持たせることができる」ことはできるかもしれないが、上述している「機械的な動きの面白さ」を実現できるものとは考えられない。何故なら、この特許文献１の遊技機における「遊技球誘導部材２５」は、「始動入賞口への遊技球の入賞確率に変化を持たせること」に主な目的があるからである。
【０００８】
また、この特許文献１においては、その段落００３６に記載されているように、「遊技球誘導部材としての昇降部材２５は、飾り枠１３の下辺部１３ａに形成された第１ステージ２６ａ、２６ｂを移動してきたパチンコ球が球誘導面２５ａに乗り上がる（乗り移る）確率が高い第１の位置としての下降位置と、該下降位置よりも球誘導面２５ａに乗り上がる（乗り移る）確率が低い第２の位置としての上昇位置と、の間で可動（昇降）自在に設けられている」ものであるから、この昇降部材２５には常にパチンコ球が接触することになって、汚れ易いだけでなく、パチンコ球による衝撃を受けて破損もし易いものとなっている。
【０００９】
一般的に、パチンコ機やスロットマシン、ピンボールゲーム機あるいはクレーンゲーム機等の遊技機は長期間使用されるものであるから、その装飾装置等の部品あるいは部分は故障しにくいものであることは勿論、できるだけメンテナンスフリーなものであることが要求される。その点、特許文献１の装飾装置では、パチンコ球が直接接触するものであるから、汚れたり破損したりし易いため、この種の遊技機における装飾装置としては、適してないと考えられるのである。
【００１０】
また、この特許文献１のパチンコ機では、当該文献の段落００１９に記載されているように、「確率変動状態においては、確率変動状態であることが遊技効果ランプ等の点灯態様が確率変動状態に対応した態様に変更されることで報知される」ものであり、そのための「遊技効果ランプ等の制御を実施するランプ制御基板」を有しているものであり（段落００２３）、例えば図１４に示すように、「透過型フォトセンサ６３の発光部から投光された光が、人差し指中指カム６２により遮断されると、人差し指中指カム６２の位置が特定されて、人差し指５２、中指５３の位置が特定されるようになっている」ものでもある。
【００１１】
このため、この特許文献１のパチンコ機では、「透過型フォトセンサの発光部から投光された光が遮断されると、人差し指中指カムの位置が特定される」というものであって、「光が遮断されると特定できる」というものになって、折角の光が十分利用されていないと考えられるのである。まして、この特許文献１のパチンコ機では、「光が遮断されると、カムの位置が特定される」というものであって、所謂通常時の「光による装飾」は十分行われていないと考えられる。
【００１２】
さらに、この特許文献１に記載された装置では、同文献の段落００５５及び段落００５６に記載されているように、「演出用構造物５０は、人の手指をモチーフとして形成された構造物であり、親指５１、人差し指５２、中指５３、薬指５４、小指５５の５本の可動部にて構成されており…パーモータ５６が駆動することによりパーの状態に可動する…」ものであり、「パーモータ５６が駆動すると、該パーモータ５６の駆動軸に直結されたギアＡが回転するとともに、該ギアＡに噛合されたギアＢ及びギアＣが回転する。ギアＢが回転すると、該ギアＢに結合された薬指小指カム５８が上下動し、薬指５４並びに小指５５が開閉動作を行う」ようにしたものである。
【００１３】
そうすると、この装置における「５本の指を模した可動部」は、動いた後も「指」と解るように「柔らかい素材」によって包み込む必要があって、この「柔らかい素材」は、可動部が長期間に亘って何回も動くことにより、ひび割れしたり破損してしまう可能性が非常に高いものとなっていると考えられる。
【００１４】
また、上述したパチンコ機を含めた遊技機は、ある一定の「テーマ」あるいは「想定場所」を決めて、そのテーマあるいは場所での遊技を行うようになされているが、装飾装置としては、その「テーマ」あるいは「想定場所」に適した装飾であることが好ましい。つまり、同じ「装飾」を行うにしても、その遊技機が有している一定の「テーマ」あるいは「想定場所」に合わせた、あるいは応じたデザインであることが好ましいのは当然である。
【００１５】
そこで、本発明者等は、長期間に亘って使用されることになる、パチンコ機やスロットマシン、ピンボールゲーム機あるいはクレーンゲーム機等の遊技機の装飾を行うに当たって、機械的な面白さを演出することができて、耐久性にも優れた装飾装置とするにはどうしたらよいか、について種々検討を重ねてきた結果、本発明を完成したのである。
【００１６】
すなわち、本発明の目的とするところは、遊技機について、光の変化の面白さを利用しながら、機械的な面白さを演出することができて、耐久性にも優れた装飾装置を、簡単な構成によって提供することにある。
【課題を解決するための手段】
【００１７】
以上の課題を解決するために、本発明の採った手段は、後述する最良形態の説明中で使用する符号を付して説明すると、
「遊技機に組み込まれて、この遊技機の装飾を発光体３０とともに行う装飾装置であって、
前記遊技機側に固定される支持板１１と、この支持板１１に支持される可撓板１２と、この可撓板１２に連結されて揺動自在となる複数の揺動板１３〜１３と、これらの揺動板１３の少なくとも一部を往復動させる駆動装置１４とを備え、
駆動装置１４に連結されたもの以外の少なくとも一枚の揺動板１３または支持板１１に、この支持板１１または駆動装置１４に連結された以外の揺動板１３に当接する第１ストッパ軸１５ａを一体的に設けて、
さらに、支持板１１を透明または半透明材料によって形成するとともに、この支持板１１の裏面側に発光体３０を設けて、
駆動装置１４によって、これに連結された揺動板１３を往復動させたとき、第１ストッパ軸１５ａによって駆動装置１４に連結されたもの以外の揺動板１３の動きの範囲を制限させるとともに、これらの各揺動板１３及び可撓板１２を通して発光体３０からの光が前面側に向けて発光されるようにしたことを特徴とする揺動装飾装置１０」
である。
【００１８】
すなわち、この請求項１に係る発光体３０を備えた揺動装飾装置１０は，後述するパチンコ機を代表とする、スロットマシン、ピンボールゲーム機あるいはクレーンゲーム機等の遊技機の装飾を行うものであり、図１の仮想線にて示した遊技機の透明覆い１７の内側に組み込まれたものである。一般的にこの種の遊技機においては、遊技内容がよく見えるようにするために、透明なガラス板やプラスチック板によって覆われていて、このような板の内側で、パチンコ球、ドラム、ボール、あるいは景品やクレーンが遊技者の手の届かないところで動くようにしてある。このため、殆どの遊技機は透明覆い１７を有しているものであり、この透明覆い１７の内側に本発明に係る発光体３０を備えた揺動装飾装置１０は組み込まれるものである。
【００１９】
さて、本発明に係る発光体３０を備えた揺動装飾装置１０は、図１〜図９に示すように、前述したような遊技機の適宜箇所に固定される支持板１１と、この支持板１１に支持される可撓板１２と、この可撓板１２に連結されて揺動自在となる複数の揺動板１３〜１３と、これらの揺動板１３の少なくとも一部を往復動させる駆動装置１４とを備えているものである。ここで、後述する最良形態では、駆動装置１４によって往復動される揺動板１３を最下端に位置している揺動板１３としているが、以下では、この揺動板１３を最下端揺動板１３ａと呼称することとする。
【００２０】
支持板１１は、後述するレンズ４０が形成してあれば、全体を透明または半透明材料によって一体的に形成したものであってもよいが、後述する最良形態における支持板１１は、図２に示すように、遊技機の水平部分に固定される横板１１ａと、これに直交して遊技機の垂直部分に固定され、かつ透明または半透明材料によって形成した縦板１１ｂとからなるものである。この場合、レンズ４０は、図３等に示すように、この横板１１ａに形成してある。なお、この横板１１ａには、後述するピボット軸１３ｄが係止されることになるピボット穴１１ｃが形成してある。
【００２１】
一方、可撓板１２は、例えば透明の合成樹脂板からなるものであり、各揺動板１３を上方向に支えることができる剛性を有しているとともに、上下に隣接し合う各揺動板１３間において撓み得るような可撓性を有しているものである。すなわち、この可撓板１２は、各揺動板１３を支えながらも、各揺動板１３がある程度の自由度をもって揺れ動き得るように支持するものである。
【００２２】
各揺動板１３は、例えば図１１及び図１２に示すように、遊技者が透明覆い１７を通して十分視認できる位置に配置されるものであり、パチンコ機等の遊技機が有している「遊技テーマ」あるいは「想定場所」に合わせた形状のものとしてある。後述する最良形態では、遊技テーマあるいは想定場所が「海の中」であるため、各揺動板１３の形状としては、「波」や「海藻あるいは海草」をイメージしたものとしてあり、以下に説明するような構成と作用とによって、水中を漂うような「ユラユラ感」が出せるものとしてある。
【００２３】
各揺動板１３は、図９に示すように、それぞれ「半割り状」のものとして合成樹脂等を材料として形成しておき、それぞれの間に一枚の可撓板１２を介在させながら一体化するものである。換言すれば、各揺動板１３は、所定の間隔を置いた状態で、可撓板１２によって互いに連結されるものであり、この可撓板１２の可撓性によって、それぞれがある程度の範囲内で自由に動くものとなっている。
【００２４】
これらの揺動板１３の内の最下端揺動板１３ａは、図１、図２及び図９が示すように、支持板１１の裏側（遊技者からは見えない部分）に配置した駆動装置１４によって往復動されるものであり、この最下端揺動板１３ａが動くことによって、これに可撓板１２を介して連結されている他の揺動板１３を動かすことになるものである。なお、この最下端揺動板１３ａの動きを確実にするために、後述する最良形態では、一番上の揺動板１３を支持板１１側に連結または固定して、この支持板１１に対してなるべく動かないようにしてある。
【００２５】
最下端揺動板１３ａは、支持板１１に対して動かさなければならないから、前述した駆動装置１４に連結されていることは当然として、例えば図２及び図５に示すように、その下面にピボット軸１３ｄを突出形成しておいて、このピボット軸１３ｄの先端を、支持板１１を構成している横板１１ａの上面に形成してあるピボット穴１１ｃ内に係合させるようにしてある。換言すれば、この最下端揺動板１３ａは、その一部を駆動装置１４によって往復動させることにより、ピボット軸１３ｄを中心に揺れ動くことになり、その上の可撓板１２を介して連なっている他の揺動板１３全体を揺れ動かすものである。
【００２６】
以上のようにした最下端揺動板１３ａ上には、可撓板１２を介して他の揺動板１３が連結してあったから、駆動装置１４によってこの最下端揺動板１３ａを往復動させれば、そのまま全ての揺動板１３が略一体となって、上端の揺動板１３またはピボット軸１３ｄを中心に揺れ動くだけであるが、この請求項１の発光体３０を備えた揺動装飾装置１０では、最下端揺動板１３ａ以外の揺動板１３の一枚について、これに設けた第１ストッパ軸１５ａによってその動く範囲を規制するようにしているため、次のような揺れ動きをすることになる。
【００２７】
第１ストッパ軸１５ａは後述する実施形態では、図７及び図８に示すように、上から３番目の揺動板１３、つまり最下端揺動板１３ａとは異なる位置にある揺動板１３の、支持板１１を構成している縦板１１ｂ側に対向する面に一体的に設けたものであり、駆動装置１４によって最下端揺動板１３ａを縦板１１ｂ側に引き込んだときに当該縦板１１ｂに当接することになるものである。逆に言えば、最下端揺動板１３ａの駆動装置１４による引き込み量は、この第１ストッパ軸１５ａの長さよりも十分長いものである。
【００２８】
つまり、この第１ストッパ軸１５ａは、複数の揺動板１３が縦板１１ｂ側に一体的に引き込まれたとき、この縦板１１ｂに当接することにより、この第１ストッパ軸１５ａを設けた揺動板１３のそれ以上の縦板１１ｂ側への動きを規制することになるものである。また、この第１ストッパ軸１５ａが縦板１１ｂに当接してからも、この第１ストッパ軸１５ａを設けた揺動板１３より上方にある他の揺動板１３（最下端揺動板１３ａを含む）は、縦板１１ｂ側に引き込まれ、各揺動板１３は文字通り可撓性のある可撓板１２によって一定の隙間を空けた状態で連結してあったから、その厚さ方向に撓むことになる。
【００２９】
勿論、この第１ストッパ軸１５ａの取付位置は、上述した上から３番目の揺動板１３に限らず、最下端揺動板１３ａを除く他の揺動板１３であってもよく、当然のことながら縦板１１ｂ側であってもよいものである。
【００３０】
また、各揺動板１３を連結している可撓板１２は、合成樹脂製の薄板によって形成したものであるから、文字通り可撓性を有していて各揺動板１３を揺動可能に支持していることは当然として、当該揺動装飾装置１０を長期間使用した場合であっても、各揺動板１３の支持を経年変化することなく確実に行うものである。仮りに、この可撓板１２に破損部分が生じたとしても、その部分は各揺動板１３によって隠された状態にあるから、外部から見えることはない。
【００３１】
以上の結果、複数の揺動板１３は、上端の揺動板１３またはピボット軸１３ｄを中心にした往復回動を基本としながらも、第１ストッパ軸１５ａの部分的な規制によって、全体としてユラユラとした揺動運動を行うことになり、海中にいるような雰囲気を醸し出すことになるのである。
【００３２】
勿論、この発光体３０を備えた揺動装飾装置１０は、上述したように、遊技機を構成している透明ケースやガラス板のような透明覆い１７の内側に組み込まれるものであるから、例えば各揺動板１３にパチンコ球やボール等が接触することはない。このため各揺動板１３が汚れたり、破損したりすることはないのである。
【００３３】
さて、この請求項１に係る揺動装飾装置１０は、発光体３０を備えたものであったが、この発光体３０からの発光を有効に利用するために、上記した縦板１１ｂ、可撓板１２及び各揺動板１３を、透明または半透明材料によって形成するとともに、図２〜図５に示すように、この縦板１１ｂの裏面側（各揺動板１３とは反対になる側）に発光体３０が設けてある。この発光体３０は、後述するような、複数の発光ダイオード３１を組み合わせたものであってもよいが、所謂「面発光体」を採用して実施してもよいものである。
【００３４】
可撓板１２の裏面側に形成してある発光体３０が発光あるいは点灯すれば、この光は可撓板１２を透過する。可撓板１２は、透明または半透明材料によって形成してあるからである。
【００３５】
この透明または半透明材料からなる可撓板１２の先に、揺れ動く揺動板１３が存在しているから、発光体３０からの光は、これら揺れ動いている揺動板１３によって遮断されたり、各揺動板１３の間を透過したりして、非常に複雑な発光となる。勿論、各揺動板１３が、透明または半透明材料によって形成されていれば、各揺動板１３を透過した光が最初に発光した彩度と輝度とは異なった彩度と輝度によって表面側に発光することは言うまでもない。
【００３６】
従って、この請求項１に係る発光体３０を備えた揺動装飾装置１０は、これが組み込まれる遊技機遊ついて、光の変化の面白さを利用しながら、機械的な面白さをも演出することができて、耐久性に優れメンテナンスもそれほど行わなくても済むものとなっているのである。
【００３７】
また、上記課題を解決するために、請求項２に係る発明の採った手段は、上記請求項１に係る発光体３０を備えた揺動装飾装置１０について、
「発光体３０を複数の発光ダイオード３１によって形成するとともに、これら各発光ダイオード３１の発光方向に、揺動板１３を配置したこと」
である。
【００３８】
すなわち、この請求項２に係る揺動装飾装置１０では、図３にも示すように、発光体３０を複数の発光ダイオード３１によって形成したものであり、これら各発光ダイオード３１の発光方向に揺動板１３を配置するようにしたものである。
【００３９】
このようにすれば、各発光ダイオード３１から発せられた光が、各揺動板１３によって遮断されるのを、あるいはこれら揺動板１３の間を透過するのを確実に行えるとともに、各揺動板１３が揺れ動くことによる、各発光ダイオード３１からの光に有効に変化が与えられるのである。
【００４０】
そして、上記課題を解決するために、請求項３に係る発明の採った手段は、上記請求項１または請求項２に係る発光体３０を備えた揺動装飾装置１０について、
「支持板１１に、複数のレンズ４０を設けたこと」
である。
【００４１】
すなわち、この請求項３に係る発光体３０を備えた揺動装飾装置１０では、図３にも示すように、支持板１１を構成している縦板１１ｂに複数のレンズ４０を設けたものであるが、このレンズ４０としては、図３の一番上に示したもののように凸レンズとしたり、あるいは、図３の一番下に示したもののように、凹レンズとしたりすることができる。
【００４２】
このようなレンズ４０を支持板１１に形成しておけば、図３の一番上に示した凸レンズの場合には、発光体３０または発光ダイオード３１から発せられた光を収束させながら揺動板１３またはこれらの間の隙間から発することができる。換言すれば、発光体３０として「面発光体」を採用しても、この凸レンズであるレンズ４０によって光を収束させることができるため、遊技者に対する光による装飾効果を有効なものとし得るのである。
【００４３】
一方、レンズ４０が図３の一番下に示した凹レンズの場合には、発光体３０または発光ダイオード３１から発せられた光を拡散させながら揺動板１３またはこれらの間の隙間から発することができる。換言すれば、この凸レンズであるレンズ４０によって光を拡散させることができるため、発光体３０として小さくて輝度の高い発光ダイオード３１を採用することが可能となり、遊技者に対する光による装飾効果を有効なものとし得るのである。
【００４４】
従って、この請求項３の揺動装飾装置１０では、凸レンズあるいは凹レンズのいずれの場合も、このレンズ４０が存在することによって、光による装飾効果をより一層確実なものとし得るのである。
【００４５】
そして、上記上記課題を解決するために、請求項４に係る発明の採った手段は、上記請求項１〜請求項３のいずれかに係る発光体３０を備えた揺動装飾装置１０を、遊技盤２０上のセンターフレーム２２の装飾装置収納部２３内に組み込んだパチンコ機である。
【００４６】
すなわち、この請求項４に係るパチンコ機は、上述した各請求項のいずれかに係る発光体３０を備えた揺動装飾装置１０を、図１０〜図１２に示すように、パチンコ機の遊技盤２０に設けてあるセンターフレーム２２の装飾装置収納部２３内に組み込んだものであり、この揺動装飾装置１０を構成している複数の揺動板１３が醸し出す「ユラユラ感」を、発光体３０からの光の効果とも併せて、センターフレーム２２の左上部にて機械的に演出するようにしたものである。
【００４７】
この発光体３０を備えた揺動装飾装置１０による演出効果は、センターフレーム２２の開口部２２ａ内に組み込んである変動表示部２１によって表示されている「遊技テーマ」あるいは「想定場所」、つまり「海」と一致しており、各揺動板１３の動きが海草等の「ユラユラ状態」を、また発光体３０からの光が海水中に差し込んだ光をイメージさせることになって、当該パチンコ機による遊技の興趣を高めるものとなっている。
【００４８】
従って、この請求項４に係るパチンコ機は、請求項１〜請求項３のいずれかに係る発光体３０を備えた揺動装飾装置１０による、光と機械的動きとによる演出効果が十分発揮されていて、パチンコ機によるパチンコ遊技がより一層興趣の高いものとなっているのである。
【発明の効果】
【００４９】
以上説明した通り、本発明においては、
「遊技機に組み込まれて、この遊技機の装飾を発光体３０とともに行う装飾装置であって、
前記遊技機側に固定される支持板１１と、この支持板１１に支持される可撓板１２と、この可撓板１２に連結されて揺動自在となる複数の揺動板１３〜１３と、これらの揺動板１３の少なくとも一部を往復動させる駆動装置１４とを備え、
駆動装置１４に連結されたもの以外の少なくとも一枚の揺動板１３または支持板１１に、この支持板１１または駆動装置１４に連結された以外の揺動板１３に当接する第１ストッパ軸１５ａを一体的に設けて、
さらに、支持板１１を透明または半透明材料によって形成するとともに、この支持板１１の裏面側に発光体３０を設けて、
駆動装置１４によって、これに連結された揺動板１３を往復動させたとき、第１ストッパ軸１５ａによって駆動装置１４に連結されたもの以外の揺動板１３の動きの範囲を制限させるとともに、これらの各揺動板１３及び可撓板１２を通して発光体３０からの光が前面側に向けて発光されるようにしたこと」
にその構成上の主たる特徴があり、これにより、遊技機について、光の変化の面白さを利用しながら、機械的な面白さを演出することができて、耐久性にも優れた発光体３０を備えた揺動装飾装置１０を、簡単な構成によって提供することができるものである。
【００５０】
また、本発明においては、前述したような発光体３０を備えた揺動装飾装置１０を、センターフレーム２２の装飾装置収納部２３内に組み込んだものとすることにより、発光体３０及び揺動装飾装置１０による演出効果を十分発揮させることのできるパチンコ機を提供することができるのである。
【００５１】
特に、上記発光体３０を備えた揺動装飾装置１０を組み込んだ本発明に係るパチンコ機は、遊技盤面上を落下するパチンコ球の複雑な動きや、風車等の機械的な動きだけでなく、上記発光体３０や揺動装飾装置１０の各揺動板１３が醸し出す「ユラユラ感」によって、まるで「海の中」にいるような雰囲気でパチンコ遊技を行えるのであり、非常に興趣の高いものとなっているのである。
【発明を実施するための最良の形態】
【００５２】
次に、上記のように構成した各請求項に係る発明を、図面に示した最良の形態である発光体３０を備えた揺動装飾装置１０について説明すると、図１〜図９には、本最良形態に係る発光体３０を備えた揺動装飾装置１０が、また、図１０には同発光体３０を備えた揺動装飾装置１０を組み込んだ遊技盤２０がそれぞれ示してある。
【００５３】
まず、発光体３０を備えた揺動装飾装置１０であるが、この揺動装飾装置１０は、図１〜図９に示したようにパチンコ機を代表とする遊技機側に固定される支持板１１と、この支持板１１に支持されて、一枚の可撓板１２にて連結した複数の揺動板１３〜１３と、これらの揺動板１３の内の最下端揺動板１３ａの一部を往復動させる駆動装置１４とを備えたものである。
【００５４】
支持板１１は、発光体３０からの光を通すものであれば、その形状は問わないものであるが、本最良形態の支持板は、図２に示したように、遊技機の水平部分に固定される横板１１ａと、これに直交して遊技機の垂直部分に固定される縦板１１ｂとからなるものであり、横板１１ａに、後述するピボット軸１３ｄが係止されることになるピボット穴１１ｃを形成したものである。
【００５５】
一方、支持板１１を構成している縦板１１ｂには、図６に示したように、後述する第１ストッパ軸１５ａが当接する案内面１６ａと、同第２ストッパ軸１５ｂが当接して案内面１６ａを有する軸案内部１６と、同最下端揺動板１３ａの延出部１３ｅが挿入されることになる開口１１ｄと、同横板１１ａが挿入される案内穴１１ｅとが形成してある。そして、この縦板１１ｂの背面側には、複数の揺動板１３の内の最下端揺動板１３ａを往復動させる駆動装置１４が配置される。
【００５６】
以上のような支持板１１には、図６〜図９に示したように、一枚の可撓板１２に連なった複数の揺動板１３が設けてある。これらの揺動板１３は、その複数が集まったときに、当該揺動装飾装置１０が採用される遊技機が有している「テーマ」あるいは「想定場所」に応じたイメージを抱かせるような形状のものとしてあり、それぞれの揺動板１３は、図１や図６に示したように、「全体を構成する一部」としての形状のものとしてあって、それぞれ異なる形状のものである。
【００５７】
また、各揺動板１３は、図９に示したように「半割状のもの」として、例えば合成樹脂を材料として、それぞれが必要とされる形状のものに形成してあるが、半割された各揺動板１３の間には、図９に示したように、一枚の可撓板１２が配置される。換言すれば、各揺動板１３は、一枚の可撓板１２を中心にしてその両側に一体化されるものである。
【００５８】
可撓板１２は、例えば透明の合成樹脂板からなるものであり、各揺動板１３を上方向に支えることができる剛性を有しているとともに、上下に隣接し合う各揺動板１３間において撓み得るような可撓性を有しているものである。すなわち、この可撓板１２は、各揺動板１３を支えながらも、各揺動板１３がある程度の自由度をもって揺れ動き得るように支持するものである。
【００５９】
さて、それぞれ形状が異なっていた各揺動板１３において、その最下端に位置するものは、図１〜図８中に最下端揺動板１３ａとして示したように、支持板１１上に支持したり、駆動装置１４によって揺動駆動するために、次のような形状のものとしてある。まず、この最下端揺動板１３ａの下面の一方には、図２及び図５に示したように、ピボット軸１３ｄが突出形成してある。このピボット軸１３ｄは、当該最下端揺動板１３ａを支持板１１に対して揺動可能に支持するためのものであり、このピボット軸１３ｄの下端は、図２に示したように、支持板１１を構成している横板１１ａ上のピボット穴１１ｃ内に係合されているものである。
【００６０】
一方、この最下端揺動板１３ａのピボット軸１３ｄとは反対側には、図５等に示したように、支持板１１側の縦板１１ｂを超えて駆動装置１４側に延出する延出部１３ｅが一体的に形成してあり、この延出部１３ｅは、縦板１１ｂの開口１１ｄを通して縦板１１ｂの裏面側（各揺動板１３が配置されるのとは反対側）に、揺動自在に延在させてある。そして、この延出部１３ｅの先端には、図５〜図８に示したように、駆動装置１４側の周回軸１４ａが係合されることになる係合部１４ｂが形成してある。
【００６１】
駆動装置１４側の周回軸１４ａは、図８に示したように、ある一点を中心に周回するものであり、一方、係合部１４ｂは、図７に示したように、最下端揺動板１３ａの延出部１３ｅの延出方向に対して僅かに傾斜する「長溝」として形成したものである。そして、周回軸１４ａがこの係合部１４ｂ内に待合した状態で周回すると、当該周回軸１４ａが係合部１４ｂ内にて移動しながら延出部１３ｅを縦板１１ｂに対して押し引きし、結果として、この延出部１３ｅが一体化されている最下端揺動板１３ａを揺動するのである。
【００６２】
そして、複数の揺動板１３の内の最下端揺動板１３ａではない揺動板１３ｂ及び揺動板１３ｃについては、図２、図４、及び図７に示したように、それぞれの縦板１１ｂ側の面に、第１ストッパ軸１５ａ及び第２ストッパ軸１５ｂが一体的に形成してある。この第２ストッパ軸１５ｂや、前述した第１ストッパ軸１５ａは、縦板１１ｂ側に一体的に設けて実施してもよいものである。本最良形態では、第１ストッパ軸１５ａの長さを第２ストッパ軸１５ｂのそれよりも長くなるようにしてあるが、その理由は以下に述べる通りである。
【００６３】
揺動板１３ｂに形成してある第１ストッパ軸１５ａは、最下端揺動板１３ａの全体が駆動装置１４によって縦板１１ｂ側に引き込まれたときに、最初にこの縦板１１ｂに当接するものであり、この第１ストッパ軸１５ａを設けた揺動板１３ｂから上側の揺動板１３の、それ以上の縦板１１ｂ側への接近を阻止するものである。
【００６４】
その後に、最下端揺動板１３ａが駆動装置１４によって更に縦板１１ｂ側へ引き込まれれば、揺動板１３ｂから上側の揺動板１３は縦板１１ｂ側への接近を阻止されているため、可撓板１２の作用によって今度は、揺動板１３の長軸方向に当接する方向に傾斜を始めることになるのである。なお、駆動装置１４による往復運動が、その引き込み終点を過ぎて、押し出し方向に変換されれば、上述したのとは逆の動きをすることは言うまでもない。
【００６５】
なお、この第１ストッパ軸１５ａが当接すべき、縦板１１ｂ側には、図６にも示したように、案内面１８が形成してあり、この案内面１８の周囲に「堤」を形成することにより、第１ストッパ軸１５ａの縦板１１ｂに対する当接位置を明示するとともに、当接状態が確定維持できるようにしてある。
【００６６】
以上の第１ストッパ軸１５ａが縦板１１ｂに当接してから、更に最下端揺動板１３ａが駆動装置１４によって引き込まれる際には、次の第２ストッパ軸１５ｂが縦板１１ｂに当接することになる。縦板１１ｂの、第２ストッパ軸１５ｂが当接する部分には、軸案内部１６が形成してあり、この軸案内部１６は第２ストッパ軸１５ｂの先端を斜めに受け止める案内面１６ａを有している。つまり、この第２ストッパ軸１５ｂはこれが縦板１１ｂに当接したとき、上述した第１ストッパ軸１５ａの場合のような単純な位置規制がされるのではなく、この第２ストッパ軸１５ｂが設けてある揺動板１３ｃから上の揺動板１３を傾斜させるのである。
【００６７】
つまり、この第２ストッパ軸１５ｂは、引き込まれたとき、この第２ストッパ軸１５ｂの先端は軸案内部１６の案内面１６ａに案内されてその奥に滑り込み、かつ可撓板１２を僅かに折り曲げながら傾斜することになるのである。このときには、前述した第１ストッパ軸１５ａによる各揺動板１３の傾斜がなされているのであるが、この第２ストッパ軸１５ｂによる揺動板１３ｃより上例の揺動板１３の傾斜によって、各揺動板１３全体は非常に複雑な「ゆらぎ」を形成することになり、全体としてみると、波のうねりや海藻等の揺らめきに似た動きを各揺動板１３がしているようになるのである。
【００６８】
ところで、以上の揺動装飾装置１０は、縦板１１ｂの裏面側（各揺動板１３とは反対になる側）に発光体３０が設けてある。また、この発光体３０からの発光を有効に利用するために、縦板１１ｂ、可撓板１２及び各揺動板１３は、透明または半透明材料によって形成してある。
【００６９】
そして、上記発光体３０は、図２〜図５に示したように、縦板１１ｂの裏面側であって、静止時の各揺動板１３に対向する位置に設けてある。この発光体３０は、図３にも示したように、複数の発光ダイオード３１を組み合わせたものであるが、所謂「面発光体」を採用して実施してもよいものである。
【００７０】
また、この発光体３０を備えた揺動装飾装置１０では、図３にも示したように、縦板１１ｂに複数のレンズ４０を設けたものであるが、このレンズ４０としては、図３の一番上に示したもののように凸レンズとしたり、あるいは、図３の一番下に示したもののように、凹レンズとしたりしてもよい。
【００７１】
このようなレンズ４０を縦板１１ｂに形成しておけば、図３の一番上に示した凸レンズの場合には、発光体３０または発光ダイオード３１から発せられた光を収束させながら揺動板１３またはこれらの間の隙間から発することができる。換言すれば、発光体３０として「面発光体」を採用しても、この凸レンズであるレンズ４０によって光を収束させることができるため、遊技者に対する光による装飾効果を有効なものとすることができる。
【００７２】
一方、レンズ４０が図３の一番下に示した凹レンズの場合には、発光体３０または発光ダイオード３１から発せられた光を拡散させながら揺動板１３またはこれらの間の隙間から発することができる。換言すれば、この凸レンズであるレンズ４０によって光を拡散させることができるため、発光体３０として小さくて輝度の高い発光ダイオード３１を採用することができ、遊技者に対する光による装飾効果を有効なものとすることができる。
【００７３】
以上のように構成した発光体３０を備えた揺動装飾装置１０は、スロットマシン、ピンボールゲーム機、クレーンゲーム機あるいはパチンコ機等の種々な遊技機の装飾を行うものに利用されるものであるが、遊技機は、中の様子が外から確実に視認できるようにするために、透明カバーあるいはガラス板、さらには透明ケース内に納められている。これらの透明ケース等の透明覆い１７は、図１にも示したように当該発光体３０を備えた揺動装飾装置１０を覆うものとして使用される。この透明覆い１７が存在することによって、例えば各揺動板１３にボール、パチンコ球あるいは景品が直接接触しないことになる。つまり、当接発光体３０を備えた揺動装飾装置１０は、透明覆い１７のすぐ内側に配置して、遊技機内に組み込まれるものである。
【００７４】
図１０には、上記のように構成した発光体３０を備えた揺動装飾装置１０をパチンコ機に適用した場合であって、この発光体３０を備えた揺動装飾装置１０を組み込んだ遊技盤２０の正面図が示してある。この遊技盤２０は、パチンコ機を構成するための図示しない本体内に組み付けられているものであり、図中の円形にしてある案内レール内がパチンコが打ち込まれる遊技領域となるものである。勿論、この遊技盤２０の手前側では、透明覆い１７であるガラス板が配置されるものであり、この透明覆い１７によって、パチンコ球が落下及び転動する完全な遊技領域が形成されるものである。
【００７５】
この遊技盤２０上には、このパチンコ機の遊技の「テーマ」あるいは「想定場所」を示すよう絵や釘配列がなされており、その中央には、これらの「テーマ」あるいは「想定場所」に基づいたパチンコ遊技を行うための変動表示部２１が設けてあり、この変動表示部２１の周囲にはセンターフレーム２２によって囲まれている。
【００７６】
センターフレーム２２は、図１２及び図１３に示したように、その表面に当該パチンコ機のテーマ等に合わせた模様が施してあるとともに、中央には上記変動表示部２１を臨ませて支持するための開口部２２ａが形成してある。また、このセンターフレーム２２の左肩部には装飾装置収納部２３が形成してあって、この装飾装置収納部２３内には、上述してきた発光体３０を備えた揺動装飾装置１０が収納されて組み込まれているのである。
【産業上の利用可能性】
【００７７】
本発明に係る発光体３０を備えた揺動装飾装置１０は、上述したように、複数の揺動板１３を一枚の可撓板１２に連結して、これらの揺動板１３を支持板１１上に支持させて、揺動板１３の内の最下端揺動板１３ａを支持板１１の表面側に配置した駆動装置１４によって揺動駆動するようにし、さらに、縦板１１ｂを透明または半透明材料によって形成するとともに、この縦板１１ｂの裏面側に発光体３０を設けたものであるから、各揺動板１３や発光体３０の形状や位置を、遊技機の「テーマ」あるいは「想定場所」に応じた形状のもに簡単に適用することができるから、遊技機に合わせた機械的な動きと形状を有した装飾装置１０とすることができる。
【００７８】
このため、前述したパチンコ機に限らず、他の形態の遊技機についても、そのテーマや想定場所（海は勿論、森や山、あるいは空中）に応じた装飾を簡単な構成で行うことができて、遊技機の利用人口を増大させることができ、遊技場や遊技メーカーに多大な貢献を課すことができる。
【図面の簡単な説明】
【００７９】
【図１】本発明に係る発光体を備えた揺動装飾装置の斜視図である。
【図２】同発光体を備えた揺動装飾装置の側面図である。
【図３】同発光体と縦板との位置関係や構造を示す部分拡大断面図である。
【図４】同発光体を備えた揺動装飾装置の平面図である。
【図５】同発光体を備えた揺動装飾装置の底面図である。
【図６】同発光体を備えた揺動装飾装置の分解斜視図である。
【図７】図６とは反対側から見た発光体を備えた揺動装飾装置の分解斜視図である。
【図８】同発光体を備えた揺動装飾装置を下方から見た分解斜視図である。
【図９】同発光体を備えた揺動装飾装置の組み立て状態を示す分解斜視図である。
【図１０】同発光体を備えた揺動装飾装置を組み込んだパチンコ機の遊技盤の正面図である。
【図１１】同遊技盤の拡大正面図である。
【図１２】同遊技盤の斜視図である。
【図１３】特許文献１に掲載された遊技盤の斜視図である。
【図１４】特許文献１に記載された遊技盤を構成する指装置の斜視図である。
【符号の説明】
【００８０】
１０  発光体を備えた揺動装飾装置
１１  支持板
１１ａ  横板
１１ｂ  縦板
１１ｃ  ピボット穴
１１ｄ  開口
１１ｅ  案内穴
１２  可撓板
１３  揺動板
１３ａ  最下端揺動板
１３ｂ  揺動板
１３ｃ  揺動板
１３ｄ  ピボット軸
１３ｅ  延出部
１３ｆ  突起
１４  駆動装置
１４ａ  周回軸
１４ｂ  係合部
１５ａ  第１ストッパ軸
１５ｂ  第２ストッパ軸
１６  軸案内部
１６ａ  案内面
１７  透明覆い
１８  案内面
２０  遊技盤
２１  変動表示部
２２  センターフレーム
２２ａ  開口部
２３  装飾装置収納部
３０    発光体
３１    発光ダイオード
４０    レンズ
【図１】
2008161435.tif 000003
【図２】
2008161435.tif 000004
【図３】
2008161435.tif 000005
【図４】
2008161435.tif 000006
【図５】
2008161435.tif 000007
【図６】
2008161435.tif 000008
【図７】
2008161435.tif 000009
【図８】
2008161435.tif 000010
【図９】
2008161435.tif 000011
【図１０】
2008161435.tif 000012
【図１１】
2008161435.tif 000013
【図１２】
2008161435.tif 000014
【図１３】
2008161435.tif 000015
【図１４】
2008161435.tif 000016